(57)【要約】【課題】  種々なサイズのタイルを自由に使用可能であり、建物に地震等の揺れが加わった場合に下地側とタイル側の動きを独立させてタイルの剥離・落下を防止すること。【解決手段】  柱１又は間柱に面材２を取り付け、面材２に防水シート３を被覆し、その前面全体に通気胴縁４を介して下地板５を取り付ける。下地板５は防水シートを内装した物を用い、その前面に網状部材６を配し、その前面にこれを介して下地板５及び柱１又は間柱に複数の固定用スライド支持部材７を固設し、この固定用スライド支持部材７に横方向スライド自在に複数のタイル用支持部材９、９…を配する。複数のタイル部材１０、１０…を、タイル用支持部材９、９…の支持突片９ａ、９ａ…で位置決めしつつ網状部材６に接着結合する。タイル部材１０、１０間の目地には目地材を充填する。【選択図】  図１
2006219882.tif 000002
【特許請求の範囲】
【請求項１】
建物躯体又はこれに配した下地に取り付ける固定用スライド支持部材と、該固定用スライド支持部材に取り付ける複数のタイル用支持部材であって、タイル部材の鉛直荷重を受けつつこれを位置決めする支持突片を突出させたタイル用支持部材と、前記建物駆体、前記下地又は前記固定用スライド支持部材のいずれか又はそれらの間で支持されるタイル用取付部材であって、タイル接着用の接着剤が絡み結合することが可能なタイル用取付部材と、前記タイル用支持部材の支持突片で支持されつつタイル用取付部材に貼着されるタイル部材とで構成したタイル貼りスライド壁構造であって、
前記タイル用支持部材を前記固定用スライド支持部材に壁面に平行な方向に沿って少なくとも水平方向に移動可能に取り付けたタイル貼りスライド壁構造。
【請求項２】
前記複数のタイル用支持部材を、前記固定用スライド支持部材に任意の相互間隔で取り付け得るように構成した請求項１のタイル貼りスライド壁構造。
【請求項３】
前記タイル用取付部材として、網状部材又はパンチングパネルのいずれかを採用した請求項１又は２のタイル貼りスライド壁構造。
【請求項４】
前記タイル用支持部材の目地対応部位に目地材が絡み結合するための開口結合部を設けた請求項１、２又は３のタイル貼りスライド壁構造。
【発明の詳細な説明】
【技術分野】
【０００１】
本発明は、建物の外壁面又は内壁面を構成するタイル貼り壁構造、特にこれを配した建物が地震等による揺動又は振動を受けた祭に、その揺動等を吸収してタイルの割れや剥離による落下を防止でき、かつ施工の際には取り付けるタイルの位置決めを正確に行うことができると共に、簡単かつスピーディーに取り付けることができるタイル貼りスライド壁構造に関するものである。
なおこの明細書中及び特許請求の範囲中で、タイルの語は、文字通りのタイルの外、同様に建物の内外壁に外装材として用いることのある板状の石材その他の部材をも含むものとする。
【背景技術】
【０００２】
この種の技術には、本発明者が提案した特許文献１のタイル貼りの施工方法およびその建築物並びに特許文献２のタイル貼り壁構造がある。
【０００３】
その内、特許文献１で提案した内容は、木造建築物の内外壁の施工面に接着剤を塗布し、その上にネット又はラスアミを設ける工程と、次に立骨を設け、かつ立骨の凹所にタイルを貼る工程と、貼られたタイル間に目地を施す工程とにてタイルを貼って行くタイル貼りの施工方法及びこの施工方法で構成された建築物である。
【０００４】
従って該特許文献１の技術によれば、施工面に取り付けるタイルは、立骨によって位置決めされ、かつ施工中のダレを防止すべく、その重量が受けられるようになっているものである。そのため、この技術の出現以前に課題となっていた施工中のタイルのダレの問題を解決し、かつ木造建築物の外装としてタイルを用いる場合の躯体に掛かる過重問題をも解決したものであり、その点で非常に優れたものであるということができる。
【０００５】
しかし、この技術では、施工性を考えると、前記立骨は、その一枚のサイズをできるだけ大きくするのが好ましいが、そうすると運搬・現場管理コストが若干嵩むこととなる難点がある。また建物が地震等の揺動乃至振動を受けた際に、タイルの割れや剥離による落下を防ぐ面では、これ以前の圧着貼り工法に比べると大幅に改善されたが、前記立骨は下地板を介して建物駆体と固く結合しており、タイルにも建物の受けた地震の振動等を殆どそのまま伝えてしまうという課題も残っているといわざるを得ない。
【０００６】
また特許文献２で提案した内容は、建築物の施工壁面に下地を構成し、その下地上に、タイルの下端を位置決めしつつ支持する支持突部をその配列予定に合わせて突設すると共に上下の支持突部間に網状開口結合部を構成した薄板製の位置決めパネルを固設し、該位置決めパネルの支持突部に下端を載せつつその前面にタイルを接着したタイル貼り壁構造である。
【０００７】
従って該特許文献２の技術によれば、位置決めパネルの前面に配したタイルは、支持突部でその下端が保持されることにより正確な位置決めが確保され、更に施工時のダレを防止できるものであり、更に該タイルを取り付けるための接着剤が、該位置決めパネルの網状開口結合部の網に絡むことで、その確実な接着が確保されることになるものである。また該位置決めパネルは、これに開口した横向きの長孔とビスを用いて下地及び建物駆体に固定するものであるが、地震等の揺動乃至振動があった場合には、該長孔の範囲でその揺動乃至振動を吸収することが可能となるものである。それ故、その際に一般に生じるタイルの割れや剥離による落下を防止することができるものである。
【０００８】
この特許文献２の技術によれば、一枚の位置決めパネルに以上の全ての機能を持たせたものであるため、前記特許文献１の力骨によるタイルの支持構造に比べて、タイルの取付工程を短縮することができる。また該位置決めパネルは取り扱い易い適当なサイズに構成することが可能であり、そのため前記力骨を用いた構成に比べて運搬費や現場管理コストを減少させることができる。
【０００９】
この特許文献２の技術は、以上のように施工性、安全性及びコスト面に於いて、非常に優れたものである。しかし、現在、海外からのタイル輸入が大幅に増えており、国内も含めると、その種類は数千を越える程となっているが、その構成上、前記位置決めパネルは一種類のそれで全てのタイルの取り付けに対応することができるものではない。そして該位置決めパネルを全てのタイルの寸法形状に対応して構成することは不可能であり、それ故、この特許文献２の技術では、事実上、使用可能なタイルの種類が限定されざるを得ないものである。
【００１０】
【特許文献１】特公平０６−２３４８３号公報
【特許文献２】特開２００２−２５０１１１号公報
【発明の開示】
【発明が解決しようとする課題】
【００１１】
本発明は、前記特許文献１及び２の利点を生かし、容易かつスピーディに正確に位置決めしたタイル貼りが可能であり、またこれを構成する各部材が小型で扱い易く、かつより低コストで製造が可能であり、またそのため運搬及び現場管理もスムーズであり、狭い足場の作業場所でも容易にその施工を行うことができるタイル貼りスライド壁構造を提供することを解決の課題とする。更に、特許文献１及び２を含めた従来技術の問題点を解決し、寸法形状の異なる複数種のタイル毎に各別の構成部材を用意するようなことはせず、少ない部品点数による構成で、多種類のタイルの位置決めを容易に行い得るようにしたタイル貼りスライド壁構造を提供することを解決の課題とする。更にまた、地震等の揺動乃至振動を効果的に吸収し、建物に地震等による揺れが生じても、これで支持するタイルの割れや剥離による落下を容易に生じさせないタイル貼りスライド壁構造を提供することを解決の課題とする。
【課題を解決するための手段】
【００１２】
本発明の１は、建物躯体又はこれに配した下地に取り付ける固定用スライド支持部材と、該固定用スライド支持部材に取り付ける複数のタイル用支持部材であって、タイル部材の鉛直荷重を受けつつこれを位置決めする支持突片を突出させたタイル用支持部材と、前記建物駆体、前記下地又は前記固定用スライド支持部材のいずれか又はそれらの間で支持されるタイル用取付部材であって、タイル接着用の接着剤が絡み結合することが可能なタイル用取付部材と、前記タイル用支持部材の支持突片で支持されつつタイル用取付部材に貼着されるタイル部材とで構成したタイル貼りスライド壁構造であって、
前記タイル用支持部材を前記固定用スライド支持部材に壁面に平行な方向に沿って少なくとも水平方向に移動可能に取り付けたタイル貼りスライド壁構造である。
【００１３】
本発明の２は、本発明の１のタイル貼りスライド壁構造に於いて、前記複数のタイル用支持部材を、前記固定用スライド支持部材に任意の相互間隔で取り付け得るように構成したものである。
【００１４】
本発明の３は、本発明の１又は２のタイル貼りスライド壁構造に於いて、前記タイル用取付部材として、網状部材又はパンチングパネルのいずれかを採用したものである。
【００１５】
本発明の４は、本発明の１、２又は３のタイル貼りスライド壁構造に於いて、前記タイル用支持部材の目地対応部位に目地材が絡み結合するための開口結合部を設けたものである。
【発明の効果】
【００１６】
本発明の１のタイル貼りスライド壁構造によれば、前記タイル用支持部材に突設した支持突片を利用し、これにタイル部材を載せながら貼着することにより、熟練を要せずに正確な位置決めをしながらその貼着取り付けを行うことができる。
【００１７】
更にこのようにタイル部材はタイル用支持部材の支持突片で支持されるものであるため、その接着取り付け直後に於ける接着剤の硬化前であっても、該タイル部材は、云うまでもなく、ダレを生じることがない。そのため、従来工法のように施工面の最下部から順次硬化を待ちながらタイル貼りを行うような効率の悪い作業を回避することができ、かつダレが生じないので、その修正の必要も生じない。
【００１８】
従って効率良くかつ正確にタイル部材の取り付け作業を行うことができるものである。
【００１９】
また前記タイル用支持部材は、前記固定用スライド支持部材に壁面に平行な方向に沿って少なくとも水平方向に移動可能に取り付けるものであるため、建物に地震等による揺動乃至振動が加わった場合に、これらの振動乃至揺動を吸収することが可能であり、その結果、支持するタイルの割れや剥離による落下を容易に生じさせないこととなる。
【００２０】
更に、本発明の１のタイル貼りスライド壁構造によれば、これを構成する各部材は小型に構成することが可能であり、そのため一面で低コストで製造が可能であり、他面では、取り扱いが容易であり、狭い足場の作業場所でも容易にその施工を行うことができたり、運搬が容易である等の利点が得られる。
【００２１】
本発明の２のタイル貼りスライド壁構造によれば、前記複数のタイル用支持部材を任意の相互間隔で配することが可能であるため、種々の寸法形状のタイル部材を自由に選択して使用することが可能となる。
【００２２】
本発明の３のタイル貼りスライド壁構造によれば、接着剤が良好に絡むことができるため、タイル部材の接着を容易かつ確実なものとすることができる。
【００２３】
本発明の４のタイル貼りスライド壁構造によれば、設置したタイル部材の目地に充填する目地材が前記開口結合部に良好に絡むこととなるため、充填した目地材が剥離して落下する等の虞のないものとなる。
【発明を実施するための最良の形態】
【００２４】
本発明のタイル貼りスライド壁構造は、基本的に、建物躯体又はこれに配した下地に取り付ける固定用スライド支持部材と、該固定用スライド支持部材に取り付ける複数のタイル用支持部材と、タイル接着用の接着剤が絡み結合することが可能なタイル用取付部材と、タイル部材とで構成したものである。
【００２５】
前記建物駆体は、木造、鉄骨造又はＲＣ造のいずれの駆体も、その対象となり得る。
また前記下地は、特定の構成に限定されないが、実際上、建物駆体の種別によって異なる適した構成がある。例えば、木造であれば、建物駆体を構成する柱や間柱に面材及び胴縁を介して配した下地板で構成することができる。該下地板が防水性を備えたものでない場合は、その前面に防水シートを被覆するのが適当である。他方、建物駆体がＲＣ造の場合は、下地としては、その躯体壁面それ自体を、これに防水処理を施した上で採用することができる。該躯体壁面の防水処理としては防水剤の塗布が適当である。また、防水シートの張り付けを採用することも可能である。
【００２６】
いずれにしても下地は、その表面がタイル部材を取り付けるための接着剤が完全には接着結合しない性質を有するものであることが適当である。
【００２７】
前記固定用スライド支持部材は、前記のように、建物駆体又はこれに配した下地に取り付ける。下地への取り付けは、より好ましくは、その取付手段を、背後の建物駆体まで延長して同時に建物駆体とも結合するように構成するのが適当である。
【００２８】
また該固定用スライド支持部材は、前記のように、前記タイル用支持部材を壁面に平行な方向に沿って、即ち、該下地板等の前面と適当な間隔でその面と平行な方向に沿って少なくとも水平方向に移動可能に取り付けるための手段である。いずれにしてもその移動は往復移動であり、定常位置に位置したタイル用支持部材を、例えば、地震等の振動乃至揺動を受けた場合に、通常、その定常位置を中心に、相対的に往復動させ得るように支持する。この往復動は、少なくとも水平方向のそれは確保し、それ以外の方向も確保することが好ましい。上下方向の往復動を許容するように構成する場合は、定常位置は通常最下部になり、最下部の定常位置と上方との間を昇降動作させ得るものとする。
【００２９】
従って該固定用スライド支持部材は、該タイル用支持部材の以上のような動きを許容しつつ支持する手段を採用すべきである。またそのように支持し得る手段であればどのような構成も自由に採用することができる。例えば、該タイル用支持部材を、水平方向に往復移動自在に支持する構成としては、該固定用スライド支持部材の前面に側面から見てＬ型に立ち上げたＬ型係止片に構成し、これと該固定用スライド支持部材の前面との間に該タイル用支持部材の下端を水平方向スライド自在に装入する構成とするのが簡明であり、適当である。
【００３０】
タイル用支持部材を支持する手段は、以上のように、簡明な構成にすべきであり、該固定用スライド支持部材に必要に応じて容易に任意の間隔で構成し得るようにしておくのが適当である。即ち、複数のタイル用支持部材を、該固定用スライド支持部材に任意の相互間隔で取り付け得るように構成しておくのが好ましい。
【００３１】
該固定用スライド支持部材は、以上のように、タイル用支持部材を支持する部材であり、そのような趣旨から、建物躯体又はこれに配した下地に支持のために適当な間隔で取り付けることとすれば良い。後述する観点からタイル用支持部材は横長の部材に構成するのが適当であり、これを適切に支持する関係から、該固定用スライド支持部材は、縦長の部材に構成し、該建物躯体又はこれに配した下地に複数のそれを縦向きに配し、更にこのように縦向きに配した複数の固定用スライド支持部材に、対象のタイル部材の縦幅を僅かに越える間隔で横向きの複数のタイル支持部材を配することとするのが適当である。
【００３２】
以上の固定用スライド支持部材は、以上のような構成であり、必要な荷重を受けることが可能であれば、種々の材質の部材で構成することができる。例えば、薄板製金属板材を打ち抜き及び折曲加工して構成することが可能であり、或いはプラスチック等で成形して構成することも可能である。
【００３３】
前記タイル用支持部材は、以上のように、該固定用スライド支持部材に取り付けるものであるが、それ自体は、タイル部材の鉛直荷重を受けつつこれを位置決めする役割を担当し、そのためにその前方に支持突片を突出させたものである。
【００３４】
各タイル用支持部材は、通常、横方向に並んだ複数のタイル部材を上記のように位置決めしつつ支持するものであり、そのような観点からこれは横長に構成するのが適当であり、かつ前記支持突片は、そのような横長のタイル用支持部材の前面から前方に向けて突出させる。該タイル用支持部材は、例えば、帯状の金属で構成した場合は、複数の支持突片を対象のタイル部材の横幅より短い間隔で突出連設することとするのが適当である。なお該支持突片は、前記の目的が達成できるものである限り、その具体的構成は自由であり、更に必要な荷重を受けることができるものであれば、前記金属に限らず、プラスチックその他の材質も採用可能である。
【００３５】
また該タイル用支持部材には、これを建物壁面に利用して対象のタイル部材を支持した際に、それらの隣接するタイル部材間、即ち、目地対応部位に目地材が絡み結合することが可能な開口結合部を設けるのが適当である。これによって目地に充填した目地材を開口結合部に絡ませて容易に脱落しないようにすることができる。
【００３６】
前記タイル用取付部材は、前記タイル用支持部材の支持突片で位置決めされ、かつ荷重受けされたタイル部材を対象の壁面に取り付けるための手段であり、タイル部材を接着するための接着剤がこれに絡むことで結合することが可能な部材である。該タイル用取付部材としては、このような趣旨に適合する種々の構成を自由に採用することができる。例えば、金属の網状部材又は多数の穴を平均に開口したパンチングパネル等を採用し、これを下地と固定用スライド支持部材との間に配することとすることができる。態様によっては前記建物駆体と固定用スライド支持部材との間に固定することも可能であり、或いは該固定用スライド支持部材に取り付ける構成とすることも可能である。材質も前記金属の他、必要な荷重を確保できる限り種々の材質の部材を採用することが可能である。
【００３７】
いずれにしても接着剤を裏面側に配したタイル部材を、前記タイル用支持部材の支持突片で位置決めしつつ下地側に押し付けると、その直前に位置するタイル用取付部材である網状部材又はパンチングパネル等にその接着剤が絡み、タイル部材と該タイル用取付部材との結合が確かなものとなる。
【００３８】
前記タイル部材は、前記のように、文字通りのタイルの他、プレート状石材等を含むものであり、タイル状又はプレート状の単位外壁部材をその対象とすることができる。
【００３９】
本発明のタイル貼りスライド壁構造によれば、次のような手順でこれを構成することができる。
【００４０】
木造建築物を対象とした場合は、例えば、建物躯体を構成する柱や間柱に直接下地板を取り付けて下地を構成する。或いは、柱や間柱に面材を取り付け、該面材の前面に防水シートを張り付けた上で、縦胴縁を介して下地板を取り付け、下地を構成する。それらの下地板は防水シートを内装したものでない場合は、その前面に防水シートを張り付けるのが適当である。該下地板は、釘やビス等で前記柱や間柱等に直接に固設し、或いは前記縦胴縁を介して固設する。前記面材や前記下地板に張り付ける防水シートはステップル等を利用してそれらに固定する。
【００４１】
この後、該下地板の前面にタイル用取付部材である網状部材等を配し、その前面に固定用スライド支持部材を取り付ける。前記のように、固定用スライド支持部材を縦長の部材に構成した場合は、複数のそれを前記タイル用支持部材を取り付けるのに適当な間隔で縦向きに取り付ける。該固定用スライド支持部材に横向きの固定用長穴を開口しておいた場合はこれらを利用してビス等によりその範囲でこれらの固定用スライド支持部材も横方向に移動自在に取り付けることができる。
【００４２】
このようにして対象の壁領域に固定用スライド支持部材を取り付けた後、該固定用スライド支持部材に前記タイル用支持部材を対象のタイル部材の縦幅を僅かに越える間隔で横向きに取り付ける。これらも当然対象の壁領域の全体に渡って以上の態様で取り付ける。これらのタイル用支持部材の取り付けは、該固定用スライド支持部材の前面に構成したそのための取り付け手段を利用して行う。前記のように、該手段を、該固定用スライド支持部材の前面に側面から見てＬ型に立ち上げたＬ型係止片に構成した場合は、これらのＬ型係止片と該固定用スライド支持部材の前面との間に該タイル用支持部材の下端を水平方向スライド自在に装入することで取り付ける。なお該Ｌ型係止片等の取り付けのための手段は、該固定用スライド支持部材の前面に、予め対象のタイル部材の縦幅を僅かに越える間隔で構成しておくべきものである。
【００４３】
前記タイル部材は、この後、その裏面に接着剤を塗布した上で、前記タイル用支持部材の支持突片で位置決めしつつ下地板側に押し付けて取り付ける。対象領域の全面にこのようにしてタイル部材を取り付け、更に目地に目地材を充填すれば、本発明のタイル貼りスライド壁構造の施工は完了である。なお、前記のように、接着剤を裏面に塗布したタイル部材を下地板側に押し付けると、その直前に位置するタイル用取付部材である網状部材又はパンチングパネル等にその接着剤が絡むことになり、該接着剤の硬化後にはタイル部材と該タイル用取付部材との結合が確かなものとなる。
【実施例】
【００４４】
この実施例のタイル貼りスライド壁構造は木造建築物に適用した例であり、図１に示すように、その構成の基本は、下地を構成する下地板５と、その前面に配したタイル用取付部材である網状部材６と、これを介して下地板５及び建物の構造体を構成する柱１又は間柱に固設した複数の固定用スライド支持部材７と、該固定用スライド支持部材７に横方向スライド自在に配した複数のタイル用支持部材９と、該タイル用支持部材９、９…の支持突片９ａ、９ａ…で位置決めしつつ前記網状部材６に接着結合した複数のタイル部材１０、１０…とで構成したものである。
【００４５】
以下に以上の各構成部材の詳細を説明しながらこの実施例のスライド壁構造の施工手順を説明する。
【００４６】
まず初めに下地から説明する。
図１に示すように、予め建物の構造体を構成する柱１及び間柱の外面側にタイル貼りを行う範囲にわたって面材２を配し、これをビス等で該柱１等に固設し、更に該面材２の前面に防水シート３を配する。前記下地板５は、該面材２及びその前面に配した通気胴縁４を介して前記柱１等に固設する。該通気胴縁４は、背後の柱１又は間柱に対応する位置に予め釘等で固定し、下地板５はその上に配し、ビス等で該通気胴縁４及び面材２を貫通させて前記柱１等に固設するものである。
【００４７】
前記下地板５は、この例では防水シートを内装した板材を採用し、この前面に更に防水シートを被覆するような必要のないものとした。
【００４８】
前記網状部材６は、金属で、文字通り、網状に構成した部材であり、図１に示すように、前記下地板５の前面に接合状態に配し、ステップル等で仮止めした上で、前記固定用スライド支持部材７、７…を背後の通気胴縁４、４…に対応させて該網状部材６の前面に接合状態に配し、これらを、図２(a)に示すように、ビス８、８…により該網状部材６、下地板５、通気胴縁４、防水シート３及び面材２を介して柱１又は間柱に固定する。該網状部材６は、この固定用スライド支持部材７、７…の固定により、これらと下地板５に挟持されて後者の前面に固定される。
【００４９】
該固定用スライド支持部材７は、図１〜図３に示すように、断面門型を基本形状とする金属製長尺部材であり、その前面には、側面から見てＬ型のＬ型係止片７ｂと逆Ｌ型の逆Ｌ型係止片７ａが構成してある。該Ｌ型係止片７ｂと逆Ｌ型係止片７ａとは対となっており、特に図１、図２(a)及び図３に示すように、その内端間の間隔を前記タイル用支持部材９の幅を僅かに越える寸法に構成する。
【００５０】
各Ｌ型係止片７ｂ及び逆Ｌ型係止片７ａの対は上下方向（長さ方向）に、設置すべきタイル用支持部材９、９…の上下隣接する相互の間隔で構成しておく。なお該相互の間隔は、対象とするタイル部材１０の高さ方向の寸法を僅かに越えたそれとするのは云うまでもない。この間隔は、対象のタイル部材１０を決定した後に設定し、その都度、その寸法に合わせて構成する。該Ｌ型係止片７ｂと逆Ｌ型係止片７ａの構成は簡単であり、その都度構成することとしても、製造上、特に不都合はなく、多種のタイル部材１０に自由に対応できるため使用上は好都合である。
【００５１】
該固定用スライド支持部材７の前面には、図１に示すように、上下隣接するＬ型係止片７ｂと逆Ｌ型係止片７ａとによる対の間に、更に該固定用スライド支持部材７の固定用の固定長孔７ｄを開口しておく。これは該固定用スライド支持部材７の長さ方向に直交する方向に長く構成する。
【００５２】
また該固定用スライド支持部材７は、特に図２(b)、(c)に示すように、両側板の下端部にそれぞれ外方に張り出した脚板部７ｃ、７ｃを構成し、前記したように、前面に網状部材６を配した下地板５にその脚板部７ｃ、７ｃを接合させて固定する。固定は、前記固定長孔７ｄにビス８を挿入し、前記したように、該網状部材６から柱１又は間柱までこれをねじ込んで固定する。該固定用スライド支持部材７、７…は、前記したように、背後の柱１又は間柱の位置に対応させて縦向きに配しておくものとする。
【００５３】
次いで、図１、図２(a)及び図３に示すように、このように固定した固定用スライド支持部材７、７…に、前記タイル用支持部材９、９…を、前記したように、対象のタイル部材１０の縦方向の寸法を僅かに越える間隔で横向きかつ横方向スライド自在に配する。
【００５４】
該タイル用支持部材９は、図１、図２(a)及び図３に示すように、前記固定用スライド支持部材７と同様に、断面門型を基本形状とする金属製長尺部材である。その前面には、その長さ方向に沿って、対象とするタイル部材１０の横幅寸法中に二つが位置し得る程度の間隔で複数の支持突片９ａ、９ａ…を構成する。該タイル用支持部材９は、横向きで使用するものであるから、該支持突片９ａ、９ａ…は、該タイル用支持部材９の長さ方向と平行に張り出した状態に構成する。具体的には、該タイル用支持部材９の前面の該当する部位を四辺形の３辺相当位置で切り抜き、これによって形成された舌片状の部分を９０度に起こして構成する。形成された開口部は目地材が絡み結合するための開口結合部９ｃとなる。
【００５５】
なお該タイル用支持部材９の前面には、両側の各支持突片９ａ、９ａ間に更に円形の開口結合部９ｄを開口させておくものとする。
【００５６】
また該タイル用支持部材９は、図１〜図３に示すように、その両側板の下端部にそれぞれ外方に張り出した係止片９ｂ、９ｂを構成し、前記固定用スライド支持部材７の前面と、その各対のＬ型係止片７ｂ及び逆Ｌ型係止片７ａとの間に、両側板下端部の係止片９ｂ、９ｂを挿入して、前記したように、該タイル用支持部材９、９…を、該固定用スライド支持部材７、７…の前面に横方向にスライド自在に配する。
【００５７】
この後は、前記タイル部材１０、１０…を、順次、その裏面に接着剤１１を塗布した上で、前記タイル用支持部材９の支持突片９ａ、９ａ…で位置決めしつつ下地板５側に押し付けて取り付ける。なお該タイル部材１０、１０…は、図１及び図２(a)に示すように、裏面にあり足を形成して接着剤１１との良好な結合が図れるものを採用した。対象領域の全面に以上のようにしてタイル部材１０、１０…を取り付け、更に目地に目地材を充填すれば、この実施例のタイル貼りスライド壁構造の施工は完了である。
【００５８】
なお、前記のように、接着剤１１を裏面に塗布したタイル部材１０を下地板５側に押し付ける作業は、まず接着剤１１をタイル部材１０の裏面のあり足部に確実に絡むように点付けで塗布した上で、前記タイル用支持部材９から前方に張り出している支持突片９ａ、９ａ…に下端を載せながら、該タイル部材１０、１０…を揉み込むことにより、網状部材６に絡ませながら行う。こうして、該下地板５の直前の網状部材６にその接着剤１１がしっかりと絡むことになり、該接着剤１１の硬化後にはタイル部材１０、１０…と該網状部材６との結合が確かなものとなる。
【００５９】
以上のように、接着剤１１とタイル部材１０とが確実に結合し、接着剤１１と網状部材６とも機械的に確実に結合し、かつ固定用スライド支持部材７がビス８により柱１又は間柱に固定されているため、下地板５と網状部材６との間に剥離が起きても、タイル部材１０、１０…の剥離による落下事故を防ぐことができる。
【００６０】
また目地に充填した目地材は、タイル用支持部材９の前面に開口した開口結合部９ｃ、９ｃ…、９ｄ、９ｄ…からその裏面側にも回り込み、硬化後はこれらに固着する。こうして目地材の脱落も生じがたくなる。
【００６１】
ところで、この実施例に於いて、前記タイル用支持部材９、９…の鉛直方向の取り付け間隔をタイル部材１０の高さ方向の寸法と一致させれば、前記のようにして設置するタイル部材１０、１０…の水平方向のタイル間隔をなくしてこの方向の目地のないタイル壁面を構成することができる。このような構成が可能なのは、前記したように、網状部材６とタイル用支持部材９、９…を用い、鉛直荷重は後者が受け、水平方向の引っ張り荷重のみを前者が受けることとして、タイル部材１０、１０…の剥離を防止する構造となっているためであり、目地によるタイル部材１０、１０…の貼り付け強度を必要としないことによる。
【００６２】
またこの実施例に於いて、図４に示すように、前記固定用スライド支持部材７のＬ型係止片７ｂと逆Ｌ型係止片７ａとの対は、同様の位置関係のＬ型係止片７ｂ、７ｂの対に置き換えることができる。この場合は、前記タイル用支持部材９もそれに対応して変形し、その両側板の下端部の係止片９ｂ、９ｂの内の、設置の際に上向きに配される側のそれを逆に該タイル用支持部材９の下面側に折り返した状態に形成し、該タイル用支持部材９を、前記のように、該固定用スライド支持部材７に取り付ける際に、同図に示すように、前者の各係止片９ｂ、９ｂを、後者のＬ型係止片７ｂ、７ｂに係止する態様で横方向スライド自在に配することができる。
【図面の簡単な説明】
【００６３】
【図１】木造建築物に適用した一実施例を示す斜視説明図。
【図２】(a)は図１の柱の部分で断面した接着剤省略の断面説明図、(b)は固定用スライド支持部材の逆Ｌ型係止片の直上で横断面した拡大平面断面図、(c)は固定用スライド支持部材のＬ型係止片の直上で横断面した拡大平面断面図。
【図３】固定用スライド支持部材及びタイル用支持部材の結合状態を示す側面説明図。
【図４】多の例の固定用スライド支持部材及びタイル用支持部材の結合状態を示す側面説明図。
【符号の説明】
【００６４】
１    柱
２    面材
３    防水シート
４    通気胴縁
５    下地板
６    網状部材
７    固定用スライド支持部材
７ａ  逆Ｌ型係止片
７ｂ  Ｌ型係止片
７ｃ  脚板部
７ｄ  固定長孔
８    ビス
９    タイル用支持部材
９ａ  支持突片
９ｂ  係止片
９ｃ、９ｄ  開口結合部
１０  タイル部材
１１  接着剤
【図１】
2006219882.tif 000003
【図２】
2006219882.tif 000004
【図３】
2006219882.tif 000005
【図４】
2006219882.tif 000006